(57)【要約】【課題】良好なコンテンツ作成を補助できる生体情報分析システムを提供すること。【解決手段】コンテンツに含まれる視差画像である右目用画像及び左目用画像を観察する観察者に装着される眼鏡５と、眼鏡５から取得される情報を分析する分析装置６とを備え、眼鏡５は、表示された右目用画像及び左目用画像を、観察者の右目及び左目にそれぞれ個別に透過させる右目用透過部５４及び左目用透過部５５と、観察者の生体情報を取得して時系列で記憶させる生体情報取得部５８４とを有し、分析装置６は、生体情報取得部５８４により取得された生体情報を取得して分析する。【選択図】図２
2012235952.tif 000002
【特許請求の範囲】
【請求項１】
コンテンツに含まれる視差画像である右目用画像及び左目用画像を観察する観察者に装着される眼鏡と、
前記眼鏡から取得される情報を分析する分析装置とを備え、
前記眼鏡は、
表示された前記右目用画像及び前記左目用画像を、観察者の右目及び左目にそれぞれ個別に透過させる右目用透過部及び左目用透過部と、
前記観察者の生体情報を取得して時系列で記憶させる生体情報取得部とを有し、
前記分析装置は、前記生体情報取得部により取得された前記生体情報を取得して分析する
ことを特徴とする生体情報分析システム。
【請求項２】
請求項１に記載の生体情報分析システムにおいて、
前記眼鏡は、
現在時刻を計時する計時部と、
前記生体情報取得部により取得された前記生体情報、及び、当該生体情報を取得した時刻を関連付けて記憶する眼鏡側記憶部と、を有する
ことを特徴とする生体情報分析システム。
【請求項３】
請求項２に記載の生体情報分析システムにおいて、
前記眼鏡は、前記観察者に音声を出力する音声出力部を有し、
前記眼鏡側記憶部は、前記生体情報と、前記時刻及び前記音声出力部による音声出力の有無についての情報とを関連付けて記憶する
ことを特徴とする生体情報分析システム。
【請求項４】
請求項１から請求項３のいずれかに記載の生体情報分析システムにおいて、
前記分析装置は、
取得された前記生体情報のピーク時を取得するピーク取得部と、
取得されたピーク時の前後の波形のうち少なくともいずれかを取得する波形取得部と、を有する
ことを特徴とする生体情報分析システム。
【請求項５】
請求項１から請求項４のいずれかに記載の生体情報分析システムにおいて、
前記分析装置は、前記眼鏡を装着した前記観察者についての観察者情報と、当該眼鏡により取得された前記生体情報とを関連付けて記憶する第１記憶部を有する
ことを特徴とする生体情報分析システム。
【請求項６】
請求項１から請求項５のいずれかに記載の生体情報分析システムにおいて、
前記分析装置は、前記生体情報と、前記コンテンツについてのコンテンツ情報とを関連付けて記憶する第２記憶部を有する
ことを特徴とする生体情報分析システム。
【発明の詳細な説明】
【技術分野】
【０００１】
本発明は、生体情報分析システムに関し、詳しくは、立体視可能な画像の評価を行う基礎となる生体情報の変化を取得及び分析する生体情報分析システムに関する。
【背景技術】
【０００２】
従来、視差画像である右目用画像及び左目用画像を形成して、視差により立体視可能な画像を表示する画像表示装置が知られている。このような画像表示装置として、右目用画像を右目に入射させる右目用透過部と、左目用画像を左目に入射させる左目用透過部とを有し、観察者に装着される眼鏡を備えた画像表示装置が知られている（例えば、特許文献１参照）。
この特許文献１に記載の画像表示装置は、右目用画像を投射するプロジェクターと、左目用画像を投射するプロジェクターと、当該右目用画像と左目用画像とを形成する光をそれぞれ異なる回転方向の偏光光に変換する円偏光板とを有する。また、眼鏡が備える右目用透過部は、右目用画像の画像光のみを透過し、左目用透過部は、左目用画像の画像光のみを透過する。このような構成により、右目用画像が右目に入射され、左目用画像が左目に入射されて、これら画像が立体画像として視認される。
【０００３】
また、特許文献１に記載の他の画像表示装置は、右目用画像と左目用画像とを交互に表示する。そして、液晶シャッターにより構成された右目用透過部及び左目用透過部を有する眼鏡は、右目用画像の表示タイミングで右目用透過部を透過状態にするとともに左目用透過部を遮蔽状態にし、左目用画像の表示タイミングで左目用透過部を透過状態にするとともに右目用透過部を遮蔽状態にする。このような構成により、前述の画像表示装置と同様に、右目用画像が右目に入射され、左目用画像が左目に入射されて、これら画像が立体画像として視認される。
【先行技術文献】
【特許文献】
【０００４】
【特許文献１】特開２００６−２５３７７７号公報
【発明の概要】
【発明が解決しようとする課題】
【０００５】
近年、映画館等において、視差画像を含むコンテンツを鑑賞する機会が増えてきた。しかしながら、表示される視差画像の３Ｄ効果や、視差画像を長時間観察した場合等で生じる３Ｄ酔いと呼ばれる症状についての臨床的裏付けは不足している。このため、コンテンツ作成者は、経験によりコンテンツを作成しており、必ずしも、最新のコンテンツの３Ｄ効果が、以前のコンテンツの３Ｄ効果に比べて高いとはいえない。
このため、良好なコンテンツ作成のための３Ｄ効果及び３Ｄ酔いの臨床的裏付けが求められており、視差画像を観察した際の観察者の生体情報の取得及び分析を行なうことができる構成が要望されてきた。
【０００６】
本発明の目的は、良好なコンテンツ作成を補助できる生体情報分析システムを提供することである。
【課題を解決するための手段】
【０００７】
前記した目的を達成するために、本発明の生体情報分析システムは、コンテンツに含まれる視差画像である右目用画像及び左目用画像を観察する観察者に装着される眼鏡と、前記眼鏡から取得される情報を分析する分析装置とを備え、前記眼鏡は、表示された前記右目用画像及び前記左目用画像を、観察者の右目及び左目にそれぞれ個別に透過させる右目用透過部及び左目用透過部と、前記観察者の生体情報を取得して時系列で記憶させる生体情報取得部とを有し、前記分析装置は、前記生体情報取得部により取得された前記生体情報を取得して分析することを特徴とする。
【０００８】
本発明によれば、観察者に装着される眼鏡は、当該観察者の生体情報を取得して時系列で記憶させる生体情報取得部を有し、分析装置は、生体情報取得部により取得された当該生体情報を取得して分析する。これによれば、時系列で記憶される生体情報と、コンテンツの経過（シーンの変化）とを比較することで、視差画像を含むコンテンツの良好な３Ｄ効果及び３Ｄ酔いの臨床的裏付けを取得できる。例えば、生体情報に基づいて、沈静状態から興奮状態に生体情報が変化した際のシーンを分析したり、或いは、その逆のシーンを分析等することにより、どのようなシーンが３Ｄ効果が高いと判断されるか、３Ｄ酔いの原因となり得るかを評価できる。従って、良好なコンテンツ作成を補助できる。
【０００９】
本発明では、前記眼鏡は、現在時刻を計時する計時部と、前記生体情報取得部により取得された前記生体情報、及び、当該生体情報を取得した時刻を関連付けて記憶する眼鏡側記憶部と、を有することが好ましい。
本発明によれば、計時部により計時される現在時刻と、生体情報取得部により取得された生体情報とが関連付けて眼鏡側記憶部に記憶される。これによれば、生体情報の取得時（検出時）の時刻を取得できるので、当該生体情報を確実に時系列で記憶することができる。従って、コンテンツの再生開始時刻と対比することで、コンテンツの経過と生体情報の変化との対応を取りやすくすることができ、当該生体情報に変化があったコンテンツのシーンを適切に取得及び分析できる。
【００１０】
本発明では、前記眼鏡は、前記観察者に音声を出力する音声出力部を有し、前記眼鏡側記憶部は、前記生体情報と、前記時刻及び前記音声出力部による音声出力の有無についての情報とを関連付けて記憶することが好ましい。
このような音声出力部は、眼鏡の大型化を抑制するために、骨伝導で聴取可能に音声を出力するエキサイター等を備える構成が好ましい。
ここで、コンテンツの臨場感は音響効果により大きく変化する。このため、音声出力部による音声出力の有無についての情報と、生体情報とを関連付けて記憶することにより、生体情報の変化の要因をより適切に把握できる。
【００１１】
本発明では、前記分析装置は、取得された前記生体情報のピーク時を取得するピーク取得部と、取得されたピーク時の前後の波形のうち少なくともいずれかを取得する波形取得部と、を有することが好ましい。
なお、波形取得部により取得されるピーク時前後の波形は、予め設定した時間内の波形でもよい。
本発明によれば、波形取得部により、ピーク時前後の生体情報の波形が取得されるので、当該波形を分析することで、生体情報の変化をより適切に把握できる。従って、コンテンツの３Ｄ効果及び当該コンテンツによる３Ｄ酔いを臨床的に分析できる。
【００１２】
本発明では、前記分析装置は、前記眼鏡を装着した前記観察者についての観察者情報と、当該眼鏡により取得された前記生体情報とを関連付けて記憶する第１記憶部を有することが好ましい。
なお、観察者情報としては、観察者の年齢や性別の他、映画館等における当該観察者の座席位置を例示できる
ここで、コンテンツの３Ｄ効果や当該コンテンツによる３Ｄ酔いの程度は、観察者の年齢、性別及び座席位置等により変化する。
このため、観察者の生体情報と、当該観察者についての観察者情報とを関連付けて記憶する第１記憶部の記憶内容を分析することにより、コンテンツの３Ｄ効果及び当該コンテンツによる３Ｄ酔いの程度を、より適切に評価できる。
【００１３】
本発明では、前記分析装置は、前記生体情報と、前記コンテンツについてのコンテンツ情報とを関連付けて記憶する第２記憶部を有することが好ましい。
なお、コンテンツ情報としては、コンテンツの名称等を例示できる。
本発明によれば、第２記憶部が、コンテンツ情報と生体情報とを関連付けて記憶するので、コンテンツごとに生体情報を管理できる他、時系列で記憶される生体情報とコンテンツの経過との対応を取りやすくすることができる。
【図面の簡単な説明】
【００１４】
【図１】本発明の一実施形態に係るコンテンツ鑑賞システムを示す模式図。
【図２】前記実施形態におけるコンテンツ鑑賞システムの構成を示すブロック図。
【図３】前記実施形態における眼鏡を示す概要斜視図。
【図４】前記実施形態における分析処理を示すフローチャート。
【発明を実施するための形態】
【００１５】
以下、本発明の一実施形態について、図面に基づいて説明する。
図１は、本実施形態に係るコンテンツ鑑賞システム１の利用状況を示す模式図である。また、図２は、コンテンツ鑑賞システム１の構成を示すブロック図である。
本実施形態に係るコンテンツ鑑賞システム１は、図１に示すように、映画館等の多人数がコンテンツを鑑賞する場で用いられ、右目用画像及び左目用画像を有する視差画像を含むコンテンツを再生するとともに、当該コンテンツを鑑賞する鑑賞者Ｖｒ（観察者）の生体情報を取得及び分析するシステムである。
このコンテンツ鑑賞システム１は、図２に示すように、コンテンツを再生する再生装置２と、当該コンテンツに含まれる視差画像を表示する表示装置３と、当該コンテンツに含まれる音声を出力する音声出力装置４と、それぞれの鑑賞者Ｖｒに装着される視差画像観察用の眼鏡５と、当該眼鏡５から生体情報を取得して分析する分析装置６とを備える。
これらのうち、眼鏡５及び分析装置６により、本発明の生体情報分析システムが構成される。
【００１６】
再生装置２は、記録媒体等に記録されたコンテンツを再生する。この再生装置２は、表示装置３及び音声出力装置４に、当該コンテンツに含まれる画像信号及び音声信号を出力する。
表示装置３は、入力される画像信号に応じた画像を表示するものであり、本実施形態では、スクリーンＳＣ（図１参照）上に当該画像を投影するプロジェクターとして構成されている。この表示装置３は、当該画像信号に応じた右目用画像及び左目用画像をそれぞれ交互に投射する。また、表示装置３は、右目用画像及び左目用画像のいずれかの表示タイミングで同期信号を出力する。なお、表示装置３は、プロジェクターに限らず、ディスプレイとして構成してもよい。
音声出力装置４は、複数のスピーカーを備え、再生装置２から入力される音声信号に応じた音声を出力する。また、音声出力装置４は、鑑賞者の椅子Ｓｔ（図１参照）にそれぞれ設けられる重低音用のスピーカー（図示省略）を有し、当該スピーカーから重低音を出力して、コンテンツの臨場感を向上させている。
【００１７】
〔眼鏡の構成〕
図３は、眼鏡５を示す概要斜視図である。
眼鏡５は、表示された右目用画像を鑑賞者の右目に、左目用画像を鑑賞者の左目にそれぞれ入射させて、当該右目用画像及び左目用画像を右目及び左目によりそれぞれ個別に視認させるものである。この眼鏡５は、図２及び図３に示すように、フレーム５１（図２及び図３）と、電源部５２（図２）と、受信部５３（図２）と、右目及び左目に応じた位置にそれぞれ設けられる右目用透過部５４及び左目用透過部５５（図２及び図３）と、音声出力部５６（図２）と、検出部５７（図２及び図３）と、制御部５８（図２）とを有する。
【００１８】
電源部５２は、一次電池又は二次電池により構成されている。
受信部５３は、表示装置３から同期信号を受信して、制御部５８に出力する。
右目用透過部５４及び左目用透過部５５は、それぞれ、制御部５８による制御の下、入射される光を透過する透過状態と、当該光を遮蔽する遮蔽状態とに切り替わる液晶シャッターにより構成されている。これらのうち、右目用透過部５４は、右目用画像の表示タイミングで透過状態となり、左目用画像の表示タイミングで遮蔽状態となる。また、左目用透過部５５は、右目用画像の表示タイミングで遮蔽状態となり、左目用画像の表示タイミングで透過状態となる。これにより、右目用画像及び左目用画像が、右目及び左目にそれぞれ個別に入射される。
【００１９】
音声出力部５６は、制御部５８から入力される音声信号に応じた音声を出力する。この音声出力部５６は、骨伝導により音声を出力するエキサイターを有する。
検出部５７は、眼鏡５を装着した鑑賞者の生体情報を検出するセンサーであり、フレーム５１に複数設けられている。この検出部５７は、例えば、鑑賞者の体温、脈拍、発汗及び血流を検出し、検出結果を制御部５８に出力する。
【００２０】
制御部５８は、電源部５２から供給される電力により動作する制御回路及びメモリーを有する。この制御部５８は、当該メモリーにより構成される記憶部５８１の他、制御回路の機能部としての計時部５８２、動作制御部５８３及び生体情報取得部５８４を有する。
記憶部５８１は、制御部５８の動作に必要な各種プログラム及びデータを記憶している不揮発性メモリーである。この記憶部５８１は、検出部５７により検出された各種生体情報を時系列で記憶し、また、音声出力部５６による音声出力の有無を時系列で記憶する。
【００２１】
計時部５８２は、現在時刻を計時する。
動作制御部５８３は、眼鏡５全体の動作を制御する。例えば、動作制御部５８３は、受信された同期信号に基づいて、右目用透過部５４及び左目用透過部５５の透過状態及び遮蔽状態を切り替える。また、動作制御部５８３は、検出部５７に各種生体情報を検出させる。更に、動作制御部５８３は、再生装置２から入力される音声情報に応じた音声信号を音声出力部５６に出力するとともに、計時部５８２により計時される時刻と関連付けて、音声出力の有無を示す情報を記憶部５８１に時系列で記憶させる。
【００２２】
生体情報取得部５８４は、検出部５７により検出された各種生体情報を取得して、記憶部５８１に記憶させる。この際、生体情報取得部５８４は、各種生体情報と、当該生体情報が検出された時刻（計時部５８２により計時されている時刻）とを関連付けて記憶させる。すなわち、生体情報取得部５８４は、各種生体情報を時系列で記憶させる。
【００２３】
〔分析装置の構成〕
分析装置６は、それぞれの眼鏡５から鑑賞者の生体情報を取得し、当該生体情報を分析する。この分析装置６は、図２に示すように、記憶部６１、入力部６２、情報取得部６３、ピーク取得部６４及び波形取得部６５を有する。
記憶部６１は、不揮発性メモリーにより構成され、分析装置６の動作に必要な各種プログラム及びデータを記憶している。また、記憶部６１は、本発明の第１記憶部及び第２記憶部に相当し、それぞれの眼鏡５から取得される情報（生体情報、及び、音声出力の有無についての情報）の他、コンテンツ情報、鑑賞者情報（観察者情報）及び音響情報等を記憶する。
【００２４】
入力部６２は、キーボード及びポインティングデバイス等により構成され、使用者により操作される。この入力部６２を用いて、使用者は、再生されたコンテンツの名称等のコンテンツ情報や、各眼鏡５が装着される鑑賞者の性別、年齢及び座席位置等の鑑賞者情報、更には、音声出力装置４による重低音出力についての音響情報を入力する。
【００２５】
情報取得部６３は、入力部６２を用いて入力されたコンテンツ情報、鑑賞者情報及び重低音情報を記憶部６１に記憶させる。この他、情報取得部６３は、眼鏡５から当該眼鏡５が装着された鑑賞者の各種生体情報を取得し、当該各種生体情報を記憶部６１に記憶させる。この際、情報取得部６３は、それぞれ対応するコンテンツ情報及び鑑賞者情報が記憶部６１に記憶されている場合には、これらコンテンツ情報及び鑑賞者情報に関連付けて、各種生体情報を記憶させる。この鑑賞者情報と生体情報との関連付けは、眼鏡５に設定された番号等の固有情報に基づいて行われる。
【００２６】
ピーク取得部６４は、取得されたそれぞれの生体情報のピーク値、及び、当該ピーク値が記録された時刻（個別ピーク時刻）を、鑑賞者ごとに取得する。また、ピーク取得部６４は、各鑑賞者の生体情報のそれぞれに共通してピーク値を記録した時刻（共通ピーク時刻）を取得する。そして、ピーク取得部６４は、ピーク値及び個別ピーク時刻を、前述の鑑賞者情報に関連付けて記憶させるとともに、共通ピーク時刻を記憶部６１に記憶させる。なお、ピーク取得部６４が取得するピーク値には、生体情報において最も高いピーク値と最も低いピーク値とが含まれる。
【００２７】
波形取得部６５は、ピーク取得部６４により取得されたピーク値を記録した時刻前後の生体情報の波形を、鑑賞者ごとに取得する。例えば、波形取得部６５は、個別ピーク時刻の前後５分間の生体情報の波形を取得する。そして、波形取得部６５は、取得された生体情報の波形を、記憶部６１に記憶させる。
【００２８】
〔分析処理〕
図４は、眼鏡５及び分析装置６により実行される分析処理を示すフローチャートである。
眼鏡５及び分析装置６は、以下に示す生体情報の分析処理を実行する。
この分析処理では、図４に示すように、まず、コンテンツの再生時に、眼鏡５の動作制御部５８３が、検出部５７に鑑賞者の各種生体情報を検出させる（ステップＳＡ１）。このようにして検出された各種生体情報は、生体情報取得部５８４により取得され、当該生体情報取得部５８４が、生体情報の検出時刻とともに記憶部５８１に記憶させる（ステップＳＡ２）。また、この際、動作制御部５８３が、音声出力の有無を時系列で記憶部５８１に記憶させる。
【００２９】
一方、分析装置６では、情報取得部６３が、入力部６２を用いて入力されたコンテンツ情報、各鑑賞者情報及び音響情報を取得して、これらを記憶部６１に記憶させる（ステップＳＢ１，ＳＢ２）。
そして、コンテンツの再生及び鑑賞が終了し、鑑賞者の生体情報が記憶された眼鏡５がそれぞれ回収されると、情報取得部６３が、当該各眼鏡５から生体情報を取得して、当該生体情報を、コンテンツ情報及び鑑賞者情報に関連付けて記憶部６１に記憶させる（ステップＳＢ３）。
【００３０】
次に、ピーク取得部６４が、それぞれの生体情報のピーク値及び個別ピーク時刻を鑑賞者ごとに取得し、当該ピーク値及び個別ピーク時刻を記憶部６１に記憶させる（ステップＳＢ４，ＳＢ５）。更に、ピーク取得部６４が、各個別ピーク時刻に基づいて、共通ピーク時刻を取得し、当該共通ピーク時刻を記憶部６１に記憶させる（ステップＳＢ６）。
この後、波形取得部６５が、各鑑賞者の個別ピーク時刻前後の生体情報の波形を、当該生体情報ごとに取得し、記憶部６１に記憶させる（ステップＳＢ７）。
以上により、分析処理が終了する。
【００３１】
以上のように、眼鏡５の記憶部５８１には、当該眼鏡を装着した鑑賞者の各種生体情報、及び、音声出力の有無を示す情報が時系列で記憶され、分析装置６の記憶部６１には、これら各情報の他、再生されたコンテンツについてのコンテンツ情報の他、音響情報、及び、鑑賞者についての鑑賞者情報が記憶される。また、当該記憶部６１には、当該各種生体情報のピーク値、及び、ピーク時刻（個別ピーク時刻及び共通ピーク時刻）が記憶され、更に、個別ピーク時刻前後の生体情報の波形がそれぞれ記憶される。このような情報を用い、例えば、生体情報が変化するシーンを当該変化が生じた時刻に基づいて抽出することで、３Ｄ酔いを生じやすいシーンや、肯定的な反応が示される３Ｄ効果を有するシーンの傾向を取得できる他、３Ｄ効果及び３Ｄ酔いの臨床的裏付けを取得できる。従って、良好なコンテンツ作成の一助とすることができる。
【００３２】
以上説明した本実施形態に係るコンテンツ鑑賞システム１によれば、以下の効果を奏することができる。
すなわち、鑑賞者Ｖｒに装着される眼鏡５の生体情報取得部５８４は、当該鑑賞者Ｖｒの生体情報を取得し、当該生体情報を記憶部５８１に時系列で記憶させる。また、分析装置６は、当該生体情報を眼鏡５から取得して記憶部６１に記憶し、当該生体情報を分析する。これによれば、時系列で記憶される生体情報と、コンテンツの経過（シーンの変化）とを比較することで、視差画像を含むコンテンツの良好な３Ｄ効果及び３Ｄ酔いの臨床的裏付けを取得できる。そして、例えば、当該生体情報に基づいて、沈静状態から興奮状態に生体情報が変化した際のシーンを更に分析したり、或いは、その逆のシーンを更に分析等することにより、どのようなシーンが３Ｄ効果が高いと判断されるか、３Ｄ酔いの原因となり得るかを評価できる。従って、良好なコンテンツ作成を補助できる。
【００３３】
計時部５８２により計時される現在時刻と、生体情報取得部５８４により取得された生体情報とは、互いに関連付けて記憶部５８１に記憶される。これによれば、生体情報の取得時刻（検出時刻）を取得できるので、当該生体情報を確実に時系列で記憶することができる。従って、コンテンツの再生開始時刻と対比することで、コンテンツの経過と生体情報の変化との対応を取りやすくすることができ、当該生体情報に変化があったコンテンツのシーンを適切に取得及び分析できる。
【００３４】
ここで、コンテンツの臨場感は音響効果により大きく変化する。このため、音声出力部５６による音声出力の有無についての情報と、検出部５７により検出された生体情報とを関連付けて記憶部５８１が記憶し、更には、音響情報が記憶部６１に記憶されることにより、これらの情報に基づいて、生体情報の変化の要因をより適切に把握できる。
【００３５】
ピーク取得部６４が、各生体情報のピーク値及びピーク時刻を鑑賞者ごとに取得し、波形取得部６５が、ピーク時刻前後の生体情報の波形を取得する。これによれば、当該波形を分析することで、生体情報の変化をより適切に把握できる。従って、コンテンツの３Ｄ効果及び当該コンテンツによる３Ｄ酔いを臨床的に分析できる。
【００３６】
ここで、コンテンツの３Ｄ効果や当該コンテンツによる３Ｄ酔いの程度は、鑑賞者の年齢、性別及び座席位置等により変化する。これに対し、記憶部６１は、鑑賞者の生体情報と、当該鑑賞者についての鑑賞者情報とを関連付けて記憶する。このため、当該記憶部６１の記憶内容を分析することにより、コンテンツの３Ｄ効果及び当該コンテンツによる３Ｄ酔いの程度を、より適切に評価できる。
また、記憶部６１は、コンテンツ情報と生体情報とを関連付けて記憶するので、コンテンツごとに生体情報を管理できる他、時系列で記憶される生体情報とコンテンツの経過との対応を取りやすくすることができる。
【００３７】
〔実施形態の変形〕
本発明は前述の実施形態に限定されるものではなく、本発明の目的を達成できる範囲での変形、改良等は本発明に含まれるものである。
前記実施形態では、眼鏡５は、それぞれ液晶シャッターにより構成された右目用透過部５４及び左目用透過部５５を有するとしたが、本発明はこれに限らない。例えば、当該右目用透過部５４及び左目用透過部５５に代えて、所定の偏光方向を有する偏光光を透過し、他の偏光方向を有する偏光光を遮蔽する偏光板を有する右目用透過部及び左目用透過部の構成を採用してもよい。例えば、ｐ偏光及びｓ偏光のうち一方の直線偏光で右目用画像を形成し、他方の直線偏光で左目用画像を形成する場合には、右目用透過部は、当該一方の直線偏光を透過し、他方の直線偏光を遮蔽する偏光板を有し、左目用透過部は、当該一方の直線偏光を遮蔽し、他方の直線偏光を透過する偏光板を有するように構成すればよい。右目用画像及び左目用画像がそれぞれ異なる回転方向を有する円偏光により形成される場合も同様に、右目用透過部及び左目用透過部が、対応する回転方向を有する円偏光を透過し、他の回転方向を有する円偏光を遮蔽する偏光板を有する構成とすればよい。
【００３８】
前記実施形態では、分析装置６は、コンテンツの再生終了後（鑑賞終了後）に回収された眼鏡５から時系列で記憶された生体情報を取得するとしたが、本発明はこれに限らない。すなわち、コンテンツの再生中に、分析装置６が眼鏡５と通信して、当該眼鏡５から生体情報を取得する構成としてもよい。
【００３９】
前記実施形態では、鑑賞者（観察者）の生体情報として、体温、脈拍、発汗及び血流を挙げたが、本発明はこれに限らない。例えば、これらのうちのいずれかを生体情報として取得する構成でもよい。また、他の情報を生体情報として取得する構成としてもよい。例えば、心拍、心電図、筋電、呼吸、皮膚電気反射（ＧＳＲ：Galvanic Skin Reflex）、血圧、血中酸素飽和濃度、皮膚表面温度、脳波、並びに、体（頭及び目等）の動き等を取得する構成としてもよい。
【００４０】
前記実施形態では、計時部５８２は、現在時刻を計時するとしたが、本発明はこれに限らない。すなわち、受信部５３による信号の受信（例えば、同期信号の受信）に応じて計時を開始する構成としてもよい。このような構成でも、視差画像を含むコンテンツの再生開始とともに、検出された生体情報と、当該再生開始後の経過時間とを関連付けて記憶させることができる。
【００４１】
前記実施形態では、眼鏡５は、骨伝導により音声を出力する音声出力部５６を有するとしたが、本発明はこれに限らない。すなわち、音声出力は骨伝導に限定されるものではない。また、音声出力部５６は無くてもよい。
前記実施形態では、分析装置６は、取得された生体情報のピーク値、個別ピーク時刻及び共通ピーク時刻を取得するとしたが、本発明はこれに限らない。すなわち、他の方法により、生体情報を分析する構成でもよい。また、分析装置は、ピーク時前後の波形の他に、当該ピーク時前後のコンテンツのシーンを記憶する構成としてもよい。
【００４２】
前記実施形態では、分析装置６は、コンテンツ情報として、コンテンツの名称を記憶する構成としたが、本発明はこれに限らない。例えば、コンテンツのジャンル等の情報も記憶する構成としてもよい。すなわち、コンテンツを分類可能であれば、他の情報でもよく、また、分析装置６がコンテンツ情報を必ずしも記憶する構成でなくてもよい。
【００４３】
前記実施形態では、眼鏡５と分析装置６とは、それぞれ分離した構成として挙げたが、本発明はこれに限らない。すなわち、眼鏡５が、ピーク値、個別ピーク時刻、共通ピーク時刻及び生体情報の波形等の各種情報を取得及び記録する構成としてもよい。この際、眼鏡５は、生体情報を取得しつつリアルタイムで当該各種情報を取得及び記録してもよく、また、記憶された生体情報に基づいて、当該各種情報を取得及び記録する構成としてもよい。更に、これら情報の全てを取得及び記録する構成に限らず、いずれか１つでもよく、他の情報を取得及び記録する構成としてもよい。
【産業上の利用可能性】
【００４４】
本発明は、視差画像を含むコンテンツの３Ｄ効果及び３Ｄ酔いの定量的な臨床的裏付けを得るシステムとして利用でき、映画館等のコンテンツ観察環境で好適に利用できる。
【符号の説明】
【００４５】
１…コンテンツ鑑賞システム（生体情報分析システム）、５…眼鏡、６…分析装置、
５４…右目用透過部、５５…左目用透過部、５６…音声出力部、６１…記憶部（第１記憶部、第２記憶部）、６２…入力部、６４…ピーク取得部、６５…波形取得部、５８１…記憶部（眼鏡側記憶部）、５８２…計時部、５８４…生体情報取得部。
【図１】
2012235952.tif 000003
【図２】
2012235952.tif 000004
【図３】
2012235952.tif 000005
【図４】
2012235952.tif 000006